(57)【特許請求の範囲】
【請求項１】
ボタン電池のためのブリスターパック（１）であって、
少なくとも１つのボタン電池を受け基礎（２）と一体化されている少なくとも１つのハウジングを形成するようにされたブリスターフォイル（４）を有し、
前記基礎（２）と前記ブリスターフォイル（４）の間に、補強用フォイル（６）を有し、この補強用フォイル（６）は、ＡＳＴＭ  Ｄ  ８８２標準にしたがって、引っ張り強さが１２００ｋｇ／ｃｍ2〜３１００ｋｇ／ｃｍ2であり、破断時の伸びが１００％〜１７０％であり、
前記基礎（２）と前記補強用フォイル（６）には、前記ハウジング内へと開いており前記ハウジングに対向している開口（８）があり、
前記開口（８）の周囲は、前記補強用フォイル（６）によって補強された輪郭を有し、
前記開口（８）は、当該ブリスターパックを単に押すだけではボタン電池が取り出されることを防ぐように構成している
ことを特徴とするブリスターパック。
【請求項２】
前記補強用フォイル（６）は、前記基礎（２）の少なくとも外側の縁をカバーしている
ことを特徴とする請求項１に記載のブリスターパック。
【請求項３】
前記補強用フォイル（６）は、前記基礎（２）の面の実質的にすべてをカバーしている
ことを特徴とする請求項２に記載のブリスターパック。
【請求項４】
前記補強用フォイル（６）は、ポリエチレンテレフタレート、ポリエチレン、ポリ塩化ビニルからなる群から選択される材料で作られる
ことを特徴とする請求項１〜３のいずれかに記載のブリスターパック。
【請求項５】
前記基礎（２）と前記補強用フォイル（６）の間に接着剤層（９）を有し、
前記補強用フォイル（６）と前記ブリスターフォイル（４）の間にシール被覆（１０）を有する
ことを特徴とする請求項１〜４のいずれかに記載のブリスターパック。
【請求項６】
前記基礎（２）は、少なくとも前記ブリスターフォイル（４）の側にて、印刷されており、
前記補強用フォイル（６）は、透明である
ことを特徴とする請求項１〜５のいずれかに記載のブリスターパック。
【請求項７】
前記基礎（２）は、前記ブリスターフォイル（４）の側において色がニュートラルカラーであり、
前記補強用フォイル（６）は、印刷されている
ことを特徴とする請求項１〜５のいずれかに記載のブリスターパック。
【請求項８】
前記基礎（２）は、厚みが２００μｍ〜５００μｍのカード状のフォイルである
ことを特徴とする請求項１〜７のいずれかに記載のブリスターパック。
【請求項９】
前記開口（８）は、円形である
ことを特徴とする請求項１〜８のいずれかに記載のブリスターパック。
【請求項１０】
前記開口（８）は、直径が１ｍｍ〜６ｍｍである
ことを特徴とする請求項９に記載のブリスターパック。
【発明の詳細な説明】
【技術分野】
【０００１】
本発明は、少なくとも１つのボタン電池を受け基礎と一体化されている少なくとも１つのハウジングを形成するように設計されているブリスターフォイルを有する、ボタン電池のためのブリスタータイプのパックに関する。
【背景技術】
【０００２】
ボタン電池をブリスターパックに入れて販売することが知られている。このようなパックは、基本的には、熱成形されたプラスチック材料によって作られた透明なフォイルと１つの面を介して一体化されている基礎によって構成しており、これによって、ボタン電池を受けるハウジングを形成している。この基礎の前面と裏面には、一般的には、商品のブランド、参考情報、使用条件、いくつかの言語で書かれている安全性に関連するテキスト又は好ましくは標準的な安全に関するピクトグラムがある。
【０００３】
いくつかの態様において、基礎は、ブリスターを閉じるフレキシブルなフォイルであることがある。電池には、フレキシブルなフォイルをブリスターから剥離して分離することによってアクセス可能である。フレキシブルなフォイルは、子どもが簡単に引っ張ってボタン電池にアクセスすることができるようにブリスターから容易に分離することができるように設計されている。しかし、子どもがボタン電池を飲み込んでしまうリスクも発生する。また、アセンブリーを十分に堅固にするために、ブリスターには、一般的には、側面に補強用のリブがある。このために、パックには、積み重ねられたときにパックどうしの間に必ず空間を発生させるような厚みがあり、したがって、空間が無駄になってしまう。
【０００４】
また、他の態様において、基礎は、ボタン電池のハウジングのレベルにおいて開口があるカードの形を有しており、この開口のまわりに、あらかじめ切られ弱くなっているいくつかの線が分布しており、例えば、十字を形成している。ボタン電池をそのハウジングから取り出すことができるようにするためには、前記の弱くされた線のレベルを押すことによって、このカードを潰す必要がある。子どもでもこの操作を容易に行うことができるが、子どもがボタン電池にアクセスすることが容易になってボタン電池を飲み込んでしまうリスクが発生してしまう。また、カードは、容易に裂かれてしまうという短所がある材料である。特に、ブリスターがカードの面の中央部のみを占める場合、子どもでもカードの外側の縁を容易に裂くことができ、このことによって、望まないのにボタン電池にアクセスしてしまう可能性がある。
【発明の概要】
【発明が解決しようとする課題】
【０００５】
このように、安全性を向上させ、特に、望まないのに子どもが開けてしまうことを防ぐような、ボタン電池のための新しいブリスターパックを提案することが必要である。
【課題を解決するための手段】
【０００６】
このために、本発明は、少なくとも１つのボタン電池を受け基礎と一体化されている少なくとも１つのハウジングを形成するように設計されたブリスターフォイルを有する、ボタン電池のためのブリスタータイプのパックに関する。
【０００７】
本発明によると、当該ブリスターパックは、基礎とブリスターフォイルの間に、補強用フォイルを有し、この補強用フォイルは、ＡＳＴＭ  Ｄ  ８８２標準にしたがって、引っ張り強さが１２００ｋｇ／ｃｍ2〜３１００ｋｇ／ｃｍ2である。
【０００８】
好ましいことに、当該補強用フォイルは、基礎の少なくとも外側の縁をカバーし、好ましくは、基礎の面の実質的にすべてをカバーする。
【０００９】
いくつかの実施形態において、当該基礎は、少なくともブリスターフォイルの側にて、印刷されており、当該補強用フォイルは透明であり、又は基礎は、ブリスターフォイルの側にて色がニュートラルカラーであることができ、当該補強用フォイルは印刷されている。
【００１０】
基礎と補強用フォイルには、ハウジング内へと開いておりハウジングに対向している開口があり、前記開口は、好ましくは、円形である。
【００１１】
このようにして、本発明に係るブリスターパックは、優れた安定性を有し、これによって、特に子どもによる、単純にパックを押したり、パックを操作したりすることによるボタン電池へのアクセスをいずれも不可能にする。ボタン電池のハウジングにアクセスするためにブリスターパックを破壊することは、はさみのような道具を用いることによってのみ可能である。また、ブリスターパックは、補強用のリブを必要としないほどに十分に堅固であり、これによって、ブリスターパックは、平坦である。このために、本発明に係るブリスターパックは、空間を無駄にせずに積み重ねることができる。
【００１２】
添付の図面に示された本発明の少なくとも１つの実施形態についての以下の詳細な説明を読むことで、本発明の目的、利点及び特徴をより明確に理解することができるであろう。なお、これらの実施形態は専ら例として与えられるものである。
【図面の簡単な説明】
【００１３】
【図１】本発明に係るブリスターパックの分解図を概略的に示している。
【図２】本発明に係るブリスターパックを上から見た図である。
【発明を実施するための形態】
【００１４】
図１を参照すると、ブリスターパック１は、基礎２を有しており、この基礎２は、この基礎２の前面２ａの側において、ブリスターフォイル４と呼ばれる透明なフォイルと一体化されている。この透明なフォイルは、熱形成されたプラスチックによって作られており、少なくとも１つのボタン電池を受けるハウジングを形成するカップを形成する。基礎２は、好ましくは、カードによって作られている。このカードは、好ましいことに、厚みが２００μｍ〜５００μｍ、好ましくは、２５０μｍ〜４００μｍであるカードフォイルである。このカードは、好ましくは、重さが、１５０ｇ／ｍ2〜６００ｇ／ｍ2、さらに好ましくは、３００ｇ／ｍ2〜４００ｇ／ｍ2である。基礎２の裏面２ｂには、一般的には、商品のブランド、参考情報、使用条件などのテキスト、バーコード、及びいくつかの言語で書かれた安全に関連するテキスト又は好ましくは、安全に関連する標準的なピクトグラムがある。ブリスターフィルム４の側にある基礎２の前面２ａは、色がニュートラルカラーであることができ、いずれのテキストもなくてもよく、又はブランドや商品の参考情報のようなテキストを有することができる。基礎２には、カットアウト５があり、これによって、ブリスターパックをディスプレーユニットに掛けることができる。ブリスターフォイル４は、好ましくは、熱成形可能なポリエチレンテレフタレートで作られ、例えば、厚みが２００μｍ〜３００μｍである。
【００１５】
本発明によると、基礎２とブリスターフォイル４の間に、補強用フォイル６が設けられる。この補強用フォイル６は、ＡＳＴＭ  Ｄ  ８８２標準にしたがって、引っ張り強さが、１２００ｋｇ／ｃｍ2〜３１００ｋｇ／ｃｍ2、好ましくは、１８００ｋｇ／ｃｍ2〜２５００ｋｇ／ｃｍ2である。
【００１６】
また、好ましいことに、補強用フォイル６は、ＡＳＴＭ  Ｄ  ８８２標準にしたがって、破断時の伸びが、１００％〜１７０％、好ましくは、１２０％〜１５０％である。
【００１７】
第１の実施形態によると、補強用フォイル６は、基礎２の少なくとも外側の縁をカバーして、基礎２の外側の縁を介してパックが裂けることを防ぐ。別の好ましい実施形態によると、補強用フォイル６は、基礎と同じ寸法構成を有し、これによって、当該補強用フォイル６が基礎２の面の実質的にすべてをカバーし、基礎２の少なくとも外側の縁をカバーし、また、以下において説明するように、開口８とカットアウト５の周囲をカバーする。
【００１８】
好ましくは、補強用フォイル６は、ポリエチレンテレフタレート、Tyvek（登録商標）のようなポリエチレン、及びポリ塩化ビニルからなる群から選択される材料として作られる。
【００１９】
特に好ましい形態において、補強用フォイル６は、二軸の引っ張り処理を経ているポリエチレンテレフタレートである。好ましくは、補強用フォイル６には光沢がある。これは、基礎２の前面２ａにて印刷されているときに透明であることができ、また、基礎２の前面２ａの色がニュートラルカラーであるときに印刷されていることができる。
【００２０】
補強用フォイル６は、好ましくは、１５μｍ〜５０μｍ、さらに好ましくは、２０μｍ〜３０μｍの厚みを有する。
【００２１】
基礎２の前面２ａに対する補強用フォイル６の固定を確実にするために、基礎２と補強用フォイル６の間に接着剤層９が設けられる。この接着剤は、分散性接着剤のような標準的な接着剤であり、これは、標準的な形態で用いられ、当業者に知られている。接着剤層９は、厚みが３μｍ〜７μｍであることができる。基礎２に対する補強用フォイル６の接着性を改善するために、基礎２に対向している補強用フォイル６の面は、コロナタイプの表面処理を経ていることができる。
【００２２】
補強用フォイル６に対するブリスターフォイル４の固定を確実にするために、補強用フォイル６とブリスターフォイル４の間にシール被覆１０を設ける。このシール被覆は、好ましくは、熱溶接に用いられる、当業者に知られている、標準的な熱活性シール被覆である。このシール被覆１０は、２μｍ〜５μｍの厚みを有することができる。ブリスターフォイル４は、温度１５０℃〜３００℃にて、熱溶接によって、接触面によって補強用フォイル６に対して標準的な形態で固定することができる。もちろん、他のいずれの適切な組み立て技術も用いることもできる。
【００２３】
ブリスターフォイル４の熱溶接の間に熱の散逸を可能にし、また、圧力と湿度の両方の補償を可能にするために空気が流れることも可能にするために、基礎２と補強用フォイル６には、ブリスターフォイル４によって形成されたハウジング内へと開いておりハウジングに対向している少なくとも１つの換気用開口８がある。この開口８は、好ましいことに、弱い領域がないように円形である。この開口は、好ましくは、特定の大きさの寸法構成を有し、具体的には、１ｍｍ〜６ｍｍの直径を有する。開口８の周囲では、あらかじめ切断されたスリットは設けられず、開口８の輪郭は、補強用フォイル６によってさらに補強されている。このように、ブリスターパックを単に押すだけでは、開口８のレベルでパックを裂いたり、ボタン電池を取り出したりすることはできない。
【００２４】
本発明に係るブリスターパックは、優れた安定性を有し、これによって、何らかの形態で外側の縁と開口８の両方を介して裂けることを防ぐことができる。したがって、単純な操作ではボタン電池をそのパックから取り出すことはできない。ブリスターパックを破壊してボタン電池にアクセスするためには、はさみのような道具が必要になる。したがって、本発明に係るブリスターパックは、望まないのに、特に子どもによって、開けてしまうことに対して特別に安全性がある。また、本発明に係るブリスターパックは、補強用のリブによって補強することが必要ではないように十分に堅固である。このために、本発明に係るブリスターパックの基礎は平坦であり、このことによって、空間を無駄にせずに本発明に係るブリスターパックを積み重ねることができる。
【図１】
0006438171.tif 000002
【図２】
0006438171.tif 000003